【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
第１サーバーと、前記第１サーバーとネットワークを介して接続され店舗に設置された第２サーバーとを含み、薬剤及び食品の販売管理を支援するためのシステムであって、
前記第１サーバーは、
前記店舗で販売される薬剤又は食品に含まれる禁忌成分に関する禁忌成分情報を格納する禁忌成分情報テーブルと、顧客が購入した薬剤及び食品に関する購入履歴情報を格納する購入履歴情報テーブルと、を記憶する第１サーバー側記憶部と、
前記禁忌成分情報テーブルに格納された第１禁忌成分情報又は前記購入履歴情報テーブルに格納された第１購入履歴情報を前記第２サーバーに送信する処理と、前記店舗において顧客が購入した薬剤及び食品に関する第２購入履歴情報又は当該購入履歴情報に基づく第２禁忌成分情報を前記第２サーバーから受信して前記購入履歴情報テーブル又は前記禁忌成分情報テーブルに格納する処理とを行う第１サーバー側通信処理部とを含み、
前記第１サーバー側通信処理部は、
前記第２サーバーから受信した要求情報に応じて、前記第１購入履歴情報又は第１禁忌成分情報を前記第２サーバーに送信する処理を行い、
前記第２サーバーは、
顧客に薬剤又は食品を販売する際に、当該薬剤又は食品の禁忌成分情報と当該顧客の個人情報とを照合して、併用禁忌又は併用注意であることを示す禁忌情報を生成する禁忌情報生成部を含むことを特徴とする販売管理支援システム。
【請求項２】
第１サーバーと、前記第１サーバーとネットワークを介して接続され店舗に設置された第２サーバーとを含み、薬剤及び食品の販売管理を支援するためのシステムであって、
前記第１サーバーは、
前記店舗で販売される薬剤又は食品に含まれる禁忌成分に関する禁忌成分情報を格納する禁忌成分情報テーブルと、顧客が購入した薬剤及び食品に関する購入履歴情報を格納する購入履歴情報テーブルと、を記憶する第１サーバー側記憶部と、
前記禁忌成分情報テーブルに格納された第１禁忌成分情報又は前記購入履歴情報テーブルに格納された第１購入履歴情報を前記第２サーバーに送信する処理と、前記店舗において顧客が購入した薬剤及び食品に関する第２購入履歴情報又は当該購入履歴情報に基づく第２禁忌成分情報を前記第２サーバーから受信して前記購入履歴情報テーブル又は前記禁
忌成分情報テーブルに格納する処理とを行う第１サーバー側通信処理部とを含み、
前記第１サーバー側通信処理部は、
前記第２サーバーから受信した要求情報に応じて、前記第１購入履歴情報又は第１禁忌成分情報を前記第２サーバーに送信する処理を行い、
前記第２サーバーは、
顧客に薬剤又は食品を販売する際に、入力された物品情報及び顧客情報に基づいて、併用禁忌又は併用注意であることを示す禁忌情報を生成する禁忌情報生成部を含むことを特徴とする販売管理支援システム。
【請求項３】
第１サーバーと、前記第１サーバーとネットワークを介して接続され店舗に設置された第２サーバーとを含み、薬剤及び食品の販売管理を支援するためのシステムであって、
前記第１サーバーは、
前記店舗で販売される薬剤又は食品に含まれる禁忌成分に関する禁忌成分情報を格納する禁忌成分情報テーブルと、顧客が購入した薬剤及び食品に関する購入履歴情報を格納する購入履歴情報テーブルと、を記憶する第１サーバー側記憶部と、
前記禁忌成分情報テーブルに格納された第１禁忌成分情報又は前記購入履歴情報テーブルに格納された第１購入履歴情報を前記第２サーバーに送信する処理と、前記店舗において顧客が購入した薬剤及び食品に関する第２購入履歴情報又は当該購入履歴情報に基づく第２禁忌成分情報を前記第２サーバーから受信して前記購入履歴情報テーブル又は前記禁忌成分情報テーブルに格納する処理とを行う第１サーバー側通信処理部とを含み、
前記第１サーバー側通信処理部は、
前記第２サーバーから受信した要求情報に応じて、前記第１購入履歴情報又は第１禁忌成分情報を前記第２サーバーに送信する処理を行い、
前記第２サーバーは、
顧客に薬剤又は食品を販売する際に、前記第１サーバーから送信された前記第１購入履歴情報又は前記第１禁忌成分情報に基づいて、併用禁忌又は併用注意であることを示す禁忌情報を生成する禁忌情報生成部と、
併用注意であることを示す禁忌情報が生成された場合に、併用注意である旨の内容を当該禁忌情報と合わせて表示部に表示させる制御を行う表示制御部とを含むことを特徴とする販売管理支援システム。
【請求項４】
請求項１乃至３のいずれか１項において、
前記第１禁忌成分情報又は前記第１購入履歴情報には、前記第２サーバーが設置された当該店舗以外の店舗において当該顧客が購入した薬剤及び食品に関する購入履歴情報又は禁忌成分情報が含まれることを特徴とする販売管理支援システム。
【請求項５】
請求項１乃至４のいずれか１項において、
前記第２サーバーは、
前記第１サーバーから受信した前記第１禁忌成分情報又は前記第１購入履歴情報を記憶する第２サーバー側記憶部を更に含むことを特徴とする販売管理支援システム。
【請求項６】
請求項１乃至５のいずれか１項において、
前記禁忌情報生成部は、
顧客に販売する薬剤又は食品に対応する前記第１禁忌成分情報と、当該顧客が他の店舗において購入した薬剤及び食品に対応する禁忌成分情報とを照合し、照合結果に応じて、前記禁忌情報を生成することを特徴とする販売管理支援システム。
【請求項７】
請求項１乃至６のいずれか１項において、
前記第１サーバー側通信処理部は、
前記第２サーバーの要求情報に対して、前記第１禁忌成分情報が該当しない場合には、
前記第１購入履歴情報を前記第２サーバーへ送信をしないことを特徴とする販売管理支援システム。
【請求項８】
請求項５又は請求項５に従属する請求項６、７のいずれかにおいて、
前記禁忌情報生成部は、
前記第２サーバー側記憶部に記憶された前記第１禁忌成分情報又は前記第１購入履歴情報に基づいて、顧客に販売する薬剤又は食品に対応する禁忌成分情報の照合を行って前記禁忌情報を生成することを特徴とする販売管理支援システム。
【請求項９】
請求項１乃至８のいずれか１項において、
前記第１サーバーは、複数の店舗のそれぞれに配置された前記第２サーバーと同一又は異なるネットワークを介して接続されていることを特徴とする販売管理支援システム。
【請求項１０】
請求項１乃至９のいずれか１項において、
前記第１サーバーは、前記第１及び第２禁忌成分情報又は前記第1及び第２購入履歴情
報を照合処理し、前記禁忌成分情報テーブル及び前記購入履歴情報テーブルを更新することを特徴とする販売管理支援システム。
【請求項１１】
請求項１乃至１０のいずれか１項において、
前記禁忌成分情報は、販売する薬剤又は食品に含まれる禁忌成分の種類及び／又は分量を示すパターン情報と、併用禁忌又は併用注意であることを示す色情報とを有する画像情報であることを特徴とする販売管理支援システム。
【請求項１２】
請求項１１において、
前記禁忌情報生成部は、
複数の前記禁忌成分情報を合成する画像処理を行うことで前記禁忌情報を生成することを特徴とする販売管理支援システム。
【請求項１３】
請求項１乃至１２のいずれか１項において、
前記第２サーバーは、
前記禁忌情報を表示部に表示させる制御を行う表示制御部を更に含むことを特徴とする販売管理支援システム。
【請求項１４】
請求項１乃至１３のいずれか１項において、
前記第２サーバーは、
前記禁忌情報を印刷部に印刷させる制御を行う印刷制御部を更に含むことを特徴とする販売管理支援システム。
【請求項１５】
請求項１乃至１４のいずれか１項において、
前記第１サーバーとネットワークを介して接続された情報処理端末を更に含み、
前記情報処理端末は、
薬剤又は食品に付与されたコードから当該薬剤又は食品に対応する禁忌成分情報を読み取る情報読取部と、
読み取られた禁忌成分情報を個人情報とともに前記第１サーバーに送信する処理を行う情報処理端末側通信処理部とを含み、
前記第１サーバーは、
前記第１サーバー側記憶部に記憶された購入履歴情報に基づいて、前記情報処理端末から受信した禁忌成分情報と、前記情報処理端末から受信した個人情報で特定される顧客が購入した薬剤及び食品に対応する禁忌成分情報とを照合し、照合結果に応じて、併用禁忌又は併用注意であることを示す禁忌情報を生成する禁忌情報生成部を更に含み、
前記第１サーバー側通信処理部は、
生成した前記禁忌情報を前記情報処理端末に送信する処理を行うことを特徴とする販売管理支援システム。